(57)【要約】【課題】  １つのテレビ受信装置によって、複数のユーザが複数のチャンネルの中から所望のチャンネルを選択してその番組を視聴する。【解決手段】  チューナ１０２は、テレビ放送の電波の中からチャンネル選択情報に対応する特定のテレビ放送を抽出する。ＣＰＵ１０７は、複数のチャンネル選択情報が指定されたときは、その複数のチャンネル選択情報を時分割して各チャンネル選択情報を巡回的にチューナ１０２に与え、各チャンネル選択情報を指定したモニタ装置２０に対して、チューナ１０２から得られるテレビ放送の信号を出力する。【選択図】  図２
2008047995.tif 000002
【特許請求の範囲】
【請求項１】
受信されるテレビ放送の電波の中からチャンネル選択情報に対応する特定のテレビ放送を抽出するチューナと、
単一のチャンネル選択情報が指定されたときは当該チャンネル選択情報を前記チューナに与え、複数のチャンネル選択情報が指定されたときは当該複数のチャンネル選択情報を時分割して各チャンネル選択情報を巡回的に前記チューナに与えるチューナ制御手段と、
単一のチャンネル選択情報が指定されたときは当該チャンネル選択情報を指定した装置に対して前記チューナから得られるテレビ放送の信号を出力し、複数のチャンネル選択情報が指定されたときは各チャンネル選択情報を指定した装置に対して前記チューナから得られるテレビ放送の信号を出力する信号出力手段と、
を備えたことを特徴とするテレビ受信装置。
【請求項２】
複数のチャンネル選択情報が指定されたときは、単一のチャンネル選択情報が指定されたときの画素の解像度を低い解像度に切り替える解像度切替手段をさらに備えたことを特徴とする請求項１に記載のテレビ受信装置。
【請求項３】
前記解像度切替手段は、複数のチャンネル選択情報が指定されたときは、単一のチャンネル選択情報が指定されたときのハイビジョンテレビの解像度を標準テレビの解像度に切り替えることを特徴とする請求項２に記載のテレビ受信装置。
【請求項４】
コンピュータに、
受信されるテレビ放送の電波の中からチャンネル選択情報に対応する特定のテレビ放送をチューナに抽出させる第１のステップと、
単一のチャンネル選択情報が指定されたときは当該チャンネル選択情報を前記チューナに与え、複数のチャンネル選択情報が指定されたときは当該複数のチャンネル選択情報を時分割して各チャンネル選択情報を巡回的に前記チューナに与える第２のステップと、
単一のチャンネル選択情報が指定されたときは当該チャンネル選択情報を指定した装置に対して前記チューナから得られるテレビ放送の信号を出力し、複数のチャンネル選択情報が指定されたときは各チャンネル選択情報を指定した装置に対して前記チューナから得られるテレビ放送の信号を出力する第３のステップと、
を実行させるテレビ受信処理のプログラム。
【請求項５】
複数のチャンネル選択情報が指定されたときは、単一のチャンネル選択情報が指定されたときの画素の解像度を低い解像度に切り替える第４のステップをさらに有することを特徴とする請求項４に記載のテレビ受信処理のプログラム。
【請求項６】
前記第４のステップは、複数のチャンネル選択情報が指定されたときは、単一のチャンネル選択情報が指定されたときのハイビジョンテレビの解像度を標準テレビの解像度に切り替えることを特徴とする請求項５に記載のテレビ受信処理のプログラム。
【発明の詳細な説明】
【技術分野】
【０００１】
本発明は、テレビ受信装置およびテレビ受信処理のプログラムに関するものである。
【背景技術】
【０００２】
近年、放送衛星や通信衛星を利用したデジタルテレビ放送が広く普及してきており、さらに、２００３年１２月から一部の地域で放送が開始された地上波デジタル放送は、２０１１年からアナログ放送に代わって全面的に放送が開始される。このようなデジタルテレビ放送の普及によって、多くのチャンネルで各種の番組をユーザに提供することができるようになってきた。このような多チャンネルの番組提供に伴って、同じ家屋内の各ユーザがそれぞれ好みの番組を視聴できるような環境が望まれている。各ユーザが自分のテレビ受信装置を持つことが考えられるが、多くの費用がかかると共に、オリンピックやサッカーのワールドカップのように、人気のある同じ番組を各ユーザが視聴する場合には、１つのテレビ受信装置で事足りるので、他のテレビ受信装置が無駄になる。
【０００３】
そこで、１つのテレビ受信装置によって複数のチャンネルの番組を視聴するための提案がなされている。
例えば、ある提案のテレビ受像機によれば、表示手段のマルチ画面の各分割画面に、電界強度の強い受信信号に基づく画像を映出する。この提案においては、テレビチューナに受信可能な所定の複数チャンネルの受信信号を受信させ、その受信可能な所定の複数チャンネルの受信信号の電界強度を検出し、受信可能な所定の複数チャンネルを、電界強度の検出結果に従って、電界強度の強いものから弱いものへと順次に並べ、テレビチューナにその順に複数チャンネルの放送を受信させ、分割画面の個数を２以上の整数であるＮとしたとき、電界強度の強いものから弱いものへと順次に並べられた所定の複数チャンネルのうち、電界強度が最も強いＮ個のチャンネルの受信画像の分割画面からなるマルチ画面のマルチ画面映像信号を生成する構成になっている。例えば、図２に示されているように、２１チャンネルのテレビ放送を、マイクロコンピュータ３からテレビチューナ２への分周比の供給によって、順次に受信させて、その各電界強度を検出し、チャンネル番号としての分周比と共に、メモリ４に記憶させ、表示器８の６個の分割画面７に、６個のチャンネルの番組を表示する。（特許文献１参照）
また、ある提案のテレビジョン受像機によれば、ユーザが操作しなくても自動的に裏番組情報のオンスクリーン表示を可能にする。この提案においては、図１に示されているように、メインチューナ２およびサブチューナ６からなる２つのチューナを備え、ＥＰＧ処理回路８はサブチューナ６により選択された伝送チャンネルのテレビジョン信号の垂直帰線期間に重畳されている番組情報を抽出しＣＰＵ９に与える。ＣＰＵ９は時計機能を用いて番組データ内の番組開始時間を示す開始情報と現在時刻とを比較し、一致している場合には裏番組が始まったことを判断し、自動的にＰＩＰ（ピクチャ・イン・ピクチャ：親子画面）表示モードを実行させるように表示制御を起動して、マルチ画面表示させる構成になっている。（特許文献２参照）
また、ある提案のテレビジョン放送受信装置によれば、多数のチャンネルが素早く選択できる。この提案においては、図１に示されているように、複数チャンネル同時視聴時に選択操作が行われた場合、統括制御部１０により、Ａ系統チューナ部２およびＡ系統映像音声信号復号部３と、Ｂ系統チューナ部４およびＢ系統映像音声信号復号部５の２系統の受信回路の双方に対して同時に選局動作を行わせる構成になっている。（特許文献３参照）
【特許文献１】特開平１０−１０４９８６号公報
【特許文献２】特開２０００−２７０２７７号公報
【特許文献３】特開２００４−３２０５４６号公報
【発明の開示】
【発明が解決しようとする課題】
【０００４】
しかしながら、上記特許文献１ないし特許文献３の場合には、表示装置の１つの画面を分割して複数のチャンネルを表示するので、所望の１つのチャンネルの番組を視聴するときには、同時に表示されている他のチャンネルの画面が邪魔になってしまう。さらに、複数のユーザがそれぞれ所望のチャンネルを視聴しようとしても、各チャンネルの音声情報を並列して出力することができない。すなわち、上記特許文献１ないし特許文献３においては、１つのテレビ受信装置によって、複数のユーザが複数のチャンネルの中から所望のチャンネルを選択してその番組を視聴することはできない。
本発明は、このような従来の課題を解決するためのものであり、１つのテレビ受信装置によって、複数のユーザが複数のチャンネルの中から所望のチャンネルを選択してその番組を視聴できるようにすることを目的とする。
【課題を解決するための手段】
【０００５】
請求項１に記載のテレビ受信装置は、受信されるテレビ放送の電波の中からチャンネル選択情報に対応する特定のテレビ放送を抽出するチューナと、単一のチャンネル選択情報が指定されたときは当該チャンネル選択情報をチューナに与え、複数のチャンネル選択情報が指定されたときは当該複数のチャンネル選択情報を時分割して各チャンネル選択情報を巡回的にチューナに与えるチューナ制御手段（実施形態においては、図２のＣＰＵ１０７に相当する）と、単一のチャンネル選択情報が指定されたときは当該チャンネル選択情報を指定した装置に対してチューナから得られるテレビ放送の信号を出力し、複数のチャンネル選択情報が指定されたときは各チャンネル選択情報を指定した装置（実施形態においては、図１のモニタ装置２０に相当する）に対してチューナから得られるテレビ放送の信号を出力する信号出力手段（実施形態においては、図２のＣＰＵ１０７に相当する）と、を備えた構成になっている。
【０００６】
請求項１のテレビ受信装置において、請求項２に記載したように、複数のチャンネル選択情報が指定されたときは、単一のチャンネル選択情報が指定されたときの画素の解像度を低い解像度に切り替える解像度切替手段（実施形態においては、図２のＣＰＵ１０７および図３の分周器２０６に相当する）をさらに備えた構成にしてもよい。
【０００７】
請求項２のテレビ受信装置において、請求項３に記載したように、解像度切替手段は、複数のチャンネル選択情報が指定されたときは、単一のチャンネル選択情報が指定されたときのハイビジョンテレビの解像度を標準テレビの解像度に切り替えるような構成にしてもよい。
【０００８】
請求項４に記載のテレビ受信処理のプログラムは、コンピュータ（実施形態においては、図２のＣＰＵ１０７に相当する）に、受信されるテレビ放送の電波の中からチャンネル選択情報に対応する特定のテレビ放送をチューナに抽出させる第１のステップと、単一のチャンネル選択情報が指定されたときは当該チャンネル選択情報をチューナに与え、複数のチャンネル選択情報が指定されたときは当該複数のチャンネル選択情報を時分割して各チャンネル選択情報を巡回的にチューナに与える第２のステップと、単一のチャンネル選択情報が指定されたときは当該チャンネル選択情報を指定した装置（実施形態においては、図１のモニタ装置２０に相当する）に対してチューナから得られるテレビ放送の信号を出力し、複数のチャンネル選択情報が指定されたときは各チャンネル選択情報を指定した装置に対して前記チューナから得られるテレビ放送の信号を出力する第３のステップと、を実行させる構成になっている。
【０００９】
請求項４のプログラムにおいて、請求項５に記載したように、複数のチャンネル選択情報が指定されたときは、単一のチャンネル選択情報が指定されたときの画素の解像度を低い解像度に切り替える第４のステップをさらに有するような構成にしてもよい。
【００１０】
請求項４のプログラムにおいて、請求項６に記載したように、第４のステップは、複数のチャンネル選択情報が指定されたときは、単一のチャンネル選択情報が指定されたときのハイビジョンテレビの解像度を標準テレビの解像度に切り替えるような構成にしてもよい。
【発明の効果】
【００１１】
本発明の装置によれば、１つのテレビ受信装置によって、複数のユーザが複数のチャンネルの中から所望のチャンネルを選択してその番組を視聴できるという効果が得られる。
【発明を実施するための最良の形態】
【００１２】
以下、本発明のテレビ受信装置の実施形態について、図１ないし図８を参照して説明する。
図１は、実施形態におけるテレビ受信装置のシステム構成を示す図である。図１において、無線テレビ受信装置１０（チューナボックス）は、放送衛星（ＢＳ）および通信衛星（ＣＳ）からのデジタルテレビ放送、並びに、地上波デジタル放送の電波を受信して、得られる映像情報および音声情報によって無線信号を変調して送信する。複数のモニタ装置２０（１）、モニタ装置２０（２）、モニタ装置２０（３）…モニタ装置２０（ｉ）は、それぞれリモコン等の操作部（図示せず）を有し、無線信号によってチャンネル選択情報を無線テレビ受信装置１０に送信し、無線テレビ受信装置１０から送信される無線信号の映像情報および音声情報を復調して、その映像を表示し、音声を発音する。
【００１３】
図２は、図１の無線テレビ受信装置１０の内部構成を示すブロック図である。図２において、テレビアンテナ１０１は、ＢＳデジタルテレビ放送、ＣＳデジタルテレビ放送、地上波デジタル放送の電波を受信する。チューナ１０２は、テレビアンテナ１０１から得られる電波のチューニング、検波、復調等の信号処理を行ってテレビ受信信号を出力する。表示制御部１０３は、チューナ１０２から出力される多重化されているテレビ受信信号に対して分離処理を行って、映像信号および音声信号を出力する。無線ＬＡＮ処理部１０４は、表示制御部１０３から出力される映像信号および音声信号によって無線ＬＡＮ信号を変調して出力する。無線ＬＡＮアンテナ１０５は、無線ＬＡＮ処理部１０４から出力される映像信号および音声信号を担う無線信号をモニタ装置２０に送信する。
【００１４】
チューナ１０２、表示制御部１０３、無線ＬＡＮ処理部１０４は、システムバス１０６を介して接続されているＣＰＵ１０７によって制御される。さらに、ＣＰＵ１０７は、システムバス１０６に接続された、プログラムＲＯＭおよびワークＲＡＭからなるメモリ１０８、チューニング情報制御部１０９、無線ＬＡＮ接続制御部１１０を制御する。プログラムＲＯＭは、テレビ受信処理のプログラムや初期データを予め記憶している。ワークＲＡＭは、ＣＰＵ１０７によって処理されるデータを一時的に記憶するためのレジスタやフラグを備えている。チューニング情報制御部１０９は、各モニタ装置２０のチャンネル情報を記録する。無線ＬＡＮ接続制御部１１０は、各モニタ装置２０の無線ＬＡＮ情報を記録する。
【００１５】
図３は、図２の表示制御部１０３の内部構成を示すブロック図である。図３において、バッファ２０１は、図２のチューナ１０２から出力される多重化されたテレビ信号を一時的に記憶する。デマルチプレクサ２０２は、バッファ２０１に記憶された多重化されているテレビ受信信号に対して分離処理を行って、映像信号、音声信号、クロック制御信号を出力する。オーディオデコーダ２０３は、デマルチプレクサ２０２から出力される音声信号を復号化してベースバンドの音声信号を出力する。ビデオデコーダ２０４は、デマルチプレクサ２０２から出力される映像信号を復号化してベースバンドの映像信号を出力する。復号ベースクロック発生器２０５は、デマルチプレクサ２０２から出力されるクロック制御信号に基づいて復号ベースクロックを発生する。分周器２０６は、復号ベースクロック発生器２０５から出力される復号ベースクロックおよびＣＰＵ１０７の制御に基づいて、フレームレートをハイビジョンテレビモード又は標準テレビモードを設定する。
【００１６】
次に、ＣＰＵ１０７によるテレビ信号処理の動作について、図４ないし図８のフローチャートに基づいて説明する。なお、説明の簡便のため、２つのモニタ装置であるモニタ装置２０（１）およびモニタ装置２０（２）が操作される場合を例に採って、ＣＰＵ１０７のテレビ信号処理の動作を説明する。
図４において、所定のイニシャライズ（ステップＳ１）の後、チューナを起動して（ステップＳ２）、チューナのチャンネルＣＨに所定のチャンネル番号をセットする（ステップＳ３）。所定のチャンネル番号としては、例えば、モニタ装置２０から前回の最後に指示されたチャンネル番号である。さらに、モニタ装置２０の接続数を示すレジスタＮを「０」にクリアする（ステップＳ４）。この段階では、モニタ装置２０（１）およびモニタ装置２０（２）からチャンネルの指示を受信していないので、いずれのモニタ装置２０とも接続は確立していない。
【００１７】
次に、いずれかのモニタ装置２０から受信があるか否かを判別し（ステップＳ５）、受信があったときは、レジスタＭにモニタ装置２０の番号（１又は２）をセットする（ステップＳ６）。さらに、その受信の内容が接続要求であるか否かを判別する（ステップＳ７）。接続要求である場合には、図５において、接続数であるＮの値をインクリメントする（ステップＳ８）。そして、レジスタＭにセットしたモニタＭのチャンネル情報をチューニング情報制御部１０９に記録する。すなわち、ＣＨ（Ｍ）にチャンネル情報をストアする（ステップＳ９）。また、モニタＭの無線ＬＡＮ情報を無線ＬＡＮ情報制御部１１０に記録する。すなわち、ＬＡＮ（Ｎ）にＭのモニタ装置の番号をストアする（ステップＳ１０）。
【００１８】
次に、Ｎの接続数が「１」より多いか否かを判別し（ステップＳ１１）、接続数が「１」より多い場合には、モニタ装置２０（１）の指定チャンネルであるＣＨ（１）とモニタ装置２０（２）の指定チャンネルであるＣＨ（２）とが異なるか否かを判別する（ステップＳ１２）。ＣＨ（１）とＣＨ（２）とが異なる場合には、チューナ１０２によって２つのチャンネルのテレビ放送に対してチューニングを行う必要がある。このため、図３の分周器２０６の分周比を２倍にする。すなわち、フレームレートを１／２に変更する（ステップＳ１３）。具体的には、ハイビジョンテレビの解像度を標準テレビの解像度に変更する。そして、フラグＦＦを「１（複数チャンネル受信状態）」にセットする（ステップＳ１４）。一方、ステップＳ１１において、Ｎの接続数が「１」以下の場合、又は、ステップＳ１２において、ＣＨ（１）とＣＨ（２）とが同じ場合には、ＦＦを「０（単一チャンネル受信状態）」にセットする（ステップＳ１５）。
【００１９】
ステップＳ１４又はステップＳ１５においてＦＦをセットした後は、図６において、ＦＦが「１」であるか「０」であるかを判別する（ステップＳ１６）。ＦＦが「１」である場合には、所定時間が経過したか否かを判別し（ステップＳ１７）、所定時間が経過したときは、前回読み出したのはＮ＝１のデータか否かを判別する（ステップＳ１８）。すなわち、前回読み出したのはモニタ装置２０（１）によって指定されたチャンネルのデータであるか否かを判別する。前回読み出したのがＮ＝１のデータである場合には、Ｎの値を「２」にセットし（ステップＳ１９）、前回読み出したのがＮ＝２のデータである場合には、Ｎの値を「１」にセットする（ステップＳ２０）。次に、チューニング情報制御部１０９からＣＨ（Ｎ）を読み出し（ステップＳ２１）、読み出したＣＨ（Ｎ）に基づきチューナ１０２をチューニングする（ステップＳ２２）。
【００２０】
ステップＳ１６において、ＦＦの値が「０」である場合、又は、ステップＳ１７において、所定時間が経過していない場合には、Ｎの値が「１」であるか否かを判別する（ステップＳ２３）。Ｎの値が「１」である場合、又は、ステップＳ２２において、チューナ１０２をチューニングしたときは、無線ＬＡＮ接続情報制御部１１０よりＬＡＮ（Ｎ）を読み出し（ステップＳ２４）、読み出したＬＡＮ（Ｎ）に基づきチューナ１０２の受信データをモニタ装置２０（１）又はモニタ装置２０（２）に送信する（ステップＳ２５）。受信データを送信した後、又は、ステップＳ２３において、Ｎの値が「１」でない場合には、図４のステップＳ５に移行してモニタ装置２０からの受信の有無を判別する。
【００２１】
図４のステップＳ７において、モニタ装置２０からの受信が接続要求でない場合には、図７において、モニタ装置２０からの受信が接続停止であるか否かを判別する（ステップＳ２６）。接続停止である場合には、接続停止を指示したモニタ装置２０のモニタ番号をレジスタＭにセットし（ステップＳ２７）、モニタＭに対応するチューニング情報制御部１０９内のＬＡＮ（Ｎ）を削除する（ステップＳ２９）。また、接続数であるＮの値をデクリメントする（ステップＳ３０）。
【００２２】
次に、Ｎの値が「０」より多いか否かを判別する（ステップＳ３１）。すなわち、現在接続中のモニタ装置２０が存在するか否かを判別する。Ｎの値が「０」より多い場合には、フレームレートは「１／２」であるか否かを判別する（ステップＳ３２）。フレームレートは「１／２」である場合、すなわち、分周器２０６の分周比が２倍に設定されている場合には、分周器２０６の分周比を元に戻して、フレームレートを元に戻す（ステップＳ３３）。そして、フラグＦＦを「０（単一チャンネル受信状態）」にセットする（ステップＳ３４）。この後は、図６のステップＳ１６に移行してＦＦの値を判別する。
【００２３】
図７のステップＳ２６において、モニタ装置２０からの受信が接続停止でない場合には、図８において、モニタ装置２０からの受信がチャンネル変更であるか否かを判別する（ステップＳ３５）。チャンネル変更である場合には、チャンネル変更を指示したモニタ装置２０のモニタ番号をレジスタＭにセットし（ステップＳ３６）、受信したモニタＭのチャンネル番号に基づき、チューニング情報制御部１０９を書き換える。すなわち、ＣＨ（Ｍ）のデータを受信したチャンネル番号に変更する（ステップＳ３７）。
【００２４】
次に、Ｎの接続数が「１」より多いか否かを判別する（ステップＳ３８）。接続数が「１」より多い場合、すなわち、モニタ装置２０（１）およびモニタ装置２０（２）と接続状態である場合には、モニタ装置２０（１）が指定したチャンネル番号であるＣＨ（１）と、モニタ装置２０（２）が指定したチャンネル番号であるＣＨ（２）とが異なるか否かを判別する（ステップＳ３９）。ＣＨ（１）とＣＨ（２）とが異なる場合には、さらに、フレームレートは通常であるか否かを判別する（ステップＳ４０）。フレームレートが通常である場合には、分周器２０６の分周比を２倍にする。すなわち、フレームレートを１／２に変更する（ステップＳ４１）。具体的には、ハイビジョンテレビの解像度を標準テレビの解像度に変更する。そして、フラグＦＦを「１（複数チャンネル受信状態）」にセットする（ステップＳ４２）。
【００２５】
ステップＳ３９において、ＣＨ（１）とＣＨ（２）とが同じである場合には、フレームレートは「１／２」であるか否かを判別する（ステップＳ４３）。フレームレートが「１／２」である場合には、分周器２０６の分周比を元に戻す。すなわち、フレームレートを元に戻す（ステップＳ４４）。そして、ＦＦを「０（単一チャンネル受信状態）」にセットする（ステップＳ４５）。ＦＦを「１」又は「０」にセットした後、又は、ステップＳ３８において、Ｎの値が「１」以下である場合、ステップＳ４０において、フレームレートが「１／２」である場合、若しくは、ステップＳ４３において、フレームレートが通常である場合には、図６のステップＳ１６に移行してＦＦの値を判別する。
【００２６】
以上のように、この実施形態によれば、チューナ１０２は、受信されるテレビ放送の電波の中からチャンネル選択情報に対応する特定のテレビ放送を抽出する。ＣＰＵ１０７は、単一のチャンネル選択情報が指定されたときは、そのチャンネル選択情報をチューナ１０２に与え、複数のチャンネル選択情報が指定されたときは、その複数のチャンネル選択情報を時分割して各チャンネル選択情報を所定時間の経過に応じて巡回的にチューナ１０２に与える。さらに、ＣＰＵ１０７は、単一のチャンネル選択情報が指定されたときは、そのチャンネル選択情報を指定したモニタ装置２０に対して、チューナから得られるテレビ放送の信号を出力し、複数のチャンネル選択情報が指定されたときは各チャンネル選択情報を指定したモニタ装置２０に対して、チューナ１０２から得られるテレビ放送の信号を出力する。
したがって、１つのテレビ受信装置によって、複数のユーザが複数のチャンネルの中から所望のチャンネルを選択してその番組を視聴できる。
【００２７】
この場合において、ＣＰＵ１０７は、複数のチャンネル選択情報が指定されたときは、単一のチャンネル選択情報が指定されたときの画素の解像度を低い解像度に切り替える。例えば、複数のチャンネル選択情報が指定されたときは、単一のチャンネル選択情報が指定されたときのハイビジョンテレビの解像度を標準テレビの解像度に切り替える。
【００２８】
なお、上記実施形態においては、メモリ１０８のプログラムＲＯＭにあらかじめ記憶されたテレビ受信処理のプログラムを実行する装置の発明について説明したが、フレキシブルディスク（ＦＤ）、ＣＤ、メモリカードなどの外部記憶媒体に記録されているテレビ受信処理のプログラムをハードディスクやフラッシュＲＯＭなどの書き込み可能な不揮発性メモリにインストールするか、又は、インターネットなどのネットワークからダウンロードしたテレビ受信処理のプログラムを不揮発性メモリにインストールして、そのプログラムをＣＰＵによって実行することも可能である。この場合には、プログラムの発明やそのプログラムを記録した記録媒体の発明を実現する。
【００２９】
すなわち、本発明によるテレビ受信処理のプログラムは、コンピュータに、受信されるテレビ放送の電波の中からチャンネル選択情報に対応する特定のテレビ放送をチューナに抽出させる第１のステップと、単一のチャンネル選択情報が指定されたときは当該チャンネル選択情報を前記チューナに与え、複数のチャンネル選択情報が指定されたときは当該複数のチャンネル選択情報を時分割して各チャンネル選択情報を巡回的に前記チューナに与える第２のステップと、単一のチャンネル選択情報が指定されたときは当該チャンネル選択情報を指定した装置に対して前記チューナから得られるテレビ放送の信号を出力し、複数のチャンネル選択情報が指定されたときは各チャンネル選択情報を指定した装置に対して前記チューナから得られるテレビ放送の信号を出力する第３のステップと、を実行させる。
【００３０】
この場合において、複数のチャンネル選択情報が指定されたときは、単一のチャンネル選択情報が指定されたときの画素の解像度を低い解像度に切り替える第４のステップをさらに有する。
さらに、前記第４のステップは、複数のチャンネル選択情報が指定されたときは、単一のチャンネル選択情報が指定されたときのハイビジョンテレビの解像度を標準テレビの解像度に切り替える。
【図面の簡単な説明】
【００３１】
【図１】本発明の実施形態におけるテレビ受信装置のシステム構成を示す図。
【図２】図１の無線テレビ受信装置の内部構成を示すブロック図。
【図３】図２の表示制御部の内部構成を示すブロック図。
【図４】図２のＣＰＵによって実行されるテレビ受信処理の動作を示すフローチャート。
【図５】図４に続くテレビ受信処理のフローチャート。
【図６】図５に続くテレビ受信処理のフローチャート。
【図７】図４に続くテレビ受信処理のフローチャート。
【図８】図７に続くテレビ受信処理のフローチャート。
【符号の説明】
【００３２】
１０  無線テレビ受信装置
２０  モニタ装置
１０１  テレビアンテナ
１０２  チューナ
１０３  表示制御部
１０４  無線ＬＡＮ処理部
１０５  無線ＬＡＮアンテナ
１０６  システムバス
１０７  ＣＰＵ
１０８  メモリ
１０９  チューニング情報制御部
１１０  無線ＬＡＮ接続制御部
【図１】
2008047995.tif 000003
【図２】
2008047995.tif 000004
【図３】
2008047995.tif 000005
【図４】
2008047995.tif 000006
【図５】
2008047995.tif 000007
【図６】
2008047995.tif 000008
【図７】
2008047995.tif 000009
【図８】
2008047995.tif 000010